(57)【要約】【課題】ソーラーシステム機能と広告機能とを同時に併用して成る広告具を提供する。【解決手段】広告媒体Ｑ１、Ｑ２、Ｑ３に太陽電池モジュール２を組み込んで成り、さらに具体的には、広告媒体Ｑ１、Ｑ２、Ｑ３の任意の被着面に貼着可能としたラッピングシート状の広告具本体１に、フィルム型に形成された太陽電池モジュール２を貼着して成るものとする。【選択図】図２
2011070065.tif 000002
【特許請求の範囲】
【請求項１】
広告媒体に太陽電池モジュールを組み込んで成ることを特徴とする広告具。
【請求項２】
太陽電池モジュールは、フィルム型に形成されて成る請求項１記載の広告具。
【請求項３】
広告媒体の任意の被着面に貼着可能としたラッピングシート状の広告具本体に、フィルム型に形成された太陽電池モジュールを貼着して成ることを特徴とする広告具。
【請求項４】
広告具本体は、塩化ビニルまたは非塩ビ系のフィルムの表面に、広告対象となるグラフィックスデザインによる画像が印刷され、その印刷された表面は、フッ素系のラミネートフィルムでもって被覆保護されて成る請求項３記載の広告具。
【発明の詳細な説明】
【技術分野】
【０００１】
本発明は、例えばビルの看板、ネオンサイン、ビルの壁面広告、電車・バス・タクシー等の車両広告、旅客機・飛行船等の飛翔体広告、その他あらゆる広告媒体に使用可能な広告具に関する。
【背景技術】
【０００２】
近年、クリーンエネルギといわれる太陽電池を使用した屋根設置型または地上設置型等の太陽光発電によるソーラーシステムが注目されてきている。すなわち、このソーラーシステムは、太陽電池パネルを太陽の方向に向けることで太陽エネルギを受光し、当該太陽電池パネルから得られる直流を交流に変換するインバータ（ＤＣ／ＡＣ変換装置）を設けることにより電力が得られるように構成されている。
【０００３】
また、近年では、例えば電車・バス・タクシー等を広告媒体として利用し、これらの車両用広告具として、宣伝広告用のグラフィックスをプリントしたフィルムをこれら車両のボディーに貼着する所謂ラッピング車両なるものが普及されてきている。
【先行技術文献】
【特許文献】
【０００４】
【特許文献１】特になし
【発明の概要】
【発明が解決しようとする課題】
【０００５】
しかしながら、従来においては、ソーラーシステム機能と広告機能とを同時に併用させて成る広告具なるものは未だ存在していなかった。例えば、電車・バス・タクシー等の広告媒体に、宣伝広告用のグラフィックスをプリントしたフィルムを貼着する所謂ラッピング車両であってさえも、これらにソーラーシステム機能を持たせたものは未だに存在していないのが実状である。
【０００６】
そこで、本発明は、叙上のような従来存した諸事情に鑑み案出されたもので、ソーラーシステム機能と広告機能とを同時に併用させて成る広告具を提供することを目的とする。
【課題を解決するための手段】
【０００７】
上述した課題を解決するために、本発明にあっては、広告媒体に太陽電池モジュールを組み込んで成ることを特徴とする。
【０００８】
太陽電池モジュールは、フィルム型に形成されて成る。
【０００９】
広告媒体の任意の被着面に貼着可能としたラッピングシート状の広告具本体に、フィルム型に形成された太陽電池モジュールを貼着して成ることを特徴とする。
【００１０】
広告具本体は、塩化ビニルまたは非塩ビ系のフィルムの表面に、広告対象となるグラフィックスデザインによる画像が印刷され、その印刷された表面は、フッ素系のラミネートフィルムでもって被覆保護されて成る。
【発明の効果】
【００１１】
本発明によれば、広告媒体に太陽電池モジュールを組み込んで成るので、ソーラーシステム機能と広告機能とを同時に併用させて成る広告具を提供することができる。
【００１２】
太陽電池モジュールは、フィルム型に形成されて成るので、種々の形態の広告媒体に容易に付設することができる。
【００１３】
広告媒体の任意の被着面に貼着可能としたラッピングシート状の広告具本体に、フィルム型に形成された太陽電池モジュールを貼着して成るので、ソーラーシステム機能と広告機能とを同時に併用させて成るラッピングシート状の広告具を容易且つ安価に作成することができる。また、軽くて湾曲柔軟性のあるフィルム型の太陽電池モジュールを使用することから、広告具本体と共に種々の広告媒体に容易に付設することができる。
【００１４】
広告具本体は、塩化ビニルまたは非塩ビ系のフィルムの表面に、広告対象となるグラフィックスデザインによる画像が印刷され、その印刷された表面は、フッ素系のラミネートフィルムでもって被覆保護されて成るので、耐候性と施工容易性に加えて、ビジュアル感覚の優れた広告具を提供することができる。
【図面の簡単な説明】
【００１５】
【図１】本発明を実施するための製造の一形態を示す工程図である。
【図２】同じく広告具本体にフィルム型の太陽電池モジュールを組み込んだ一部省略斜視図である。
【図３】同じくフィルム型の太陽電池モジュールを組み込んだ広告具本体の使用の一例を示した斜視図である。
【図４】同じく使用の他例を示した斜視図である。
【図５】同じく使用の更に他例を示した斜視図である。
【発明を実施するための形態】
【００１６】
以下、図面を参照して本発明の実施の一形態を詳細に説明する。
本発明に係る広告具は、図３乃至図５に示すような例えばバス・電車・ビル等の地球上のいたる所に存在するものを広告媒体Ｑ１、Ｑ２、Ｑ３とし、これら広告媒体Ｑ１、Ｑ２、Ｑ３にソーラーシステムを組み込んで成るものであり、太陽光を受けてソーラーシステムが稼働することと、広告機能が昼夜を問わず働くように構成されている。
【００１７】
すなわち、図１に示すように、広告媒体Ｑ１、Ｑ２、Ｑ３に貼着される広告具本体１に厚さ１ｍｍ以下の柔軟性シート材によるフィルム型の太陽電池モジュール２を組み込み、当該太陽電池モジュール２から得られる直流を交流に変換する後述するインバータ（ＤＣ／ＡＣ変換装置）２１を設けることにより、広告一体型の太陽光発電ソーラーシステムを構成している。
【００１８】
この広告媒体Ｑ１、Ｑ２、Ｑ３としては、例えばビルＱ３（図５参照）の壁面広告・看板・出入口・ガラス窓、ネオンサイン、広告塔、電車Ｑ２（図４参照）・バスＱ３（図３参照）・タクシー等の車両広告、旅客機・飛行船等の飛翔体広告、船舶広告、その他あらゆる広告媒体が挙げられる。
【００１９】
広告具本体１の作成には、図１に示すように、画像編集１２からデータ計算１３、出力（プリントアウト）１４、転写・ラミネート１５による加工までの一連の工程を実現したスコッチプリント（商標名）グラフィックスシステムの技術が使用される。このシステムには、高速、高解像度ＲＩＰ（Raster Image Processorの略：電子的システムで処理・編集されたデジタル信号をラスタ方式の出力装置で出力するための画像データ変換装置・ソフトウェア）を搭載している。
【００２０】
画像編集１２では、例えばＣＤ−Ｒ・ＭＯ・ＭＯディスク等に記憶されている画像データ、またはスキャナーで読み取った画像の編集を行う。すなわち、ビジュアル再現性に優れたＣＧシステムの下で、広告宣伝の対象となる写真や絵画・イラスト等のフルカラー原稿をスキャナーを使って自在に入力編集し、画像データを高速処理（データ計算１３）する。そして、大型静電プリンターにより耐候性・発色性の高い３Ｍ専用トナーとマテリアルでプリントアウト１４する。このプリントアウト１４された画像データを広告具本体１に転写・ラミネート１５する。
【００２１】
このとき広告具本体１の素材には塩化ビニルの他に例えば非塩ビ系のフィルムが使用され、この素材の表面には広告対象となる種々のグラフィックスデザインによる画像が例えばインクジェット等によって印刷（転写）される。さらに、その印刷された表面は、例えばフッ素系のラミネートフィルムでもって被覆し保護される。
【００２２】
広告具本体１の具体的な構成としては、図２における一方の円内の拡大された断面図に示すように、上記グラフィックスシステムによって非塩ビ系のフィルム層の表面に印刷が施され、裏面には不図示の剥離紙を付けた粘着層が施されて成るレセプターフィルム１６と、該レセプターフィルム１６の印刷面を保護するためのフッ素系のフィルム層の裏面に粘着層を施して成るオーバーラミネートフィルム１７とから構成されている。そして、この広告具本体１は、広告媒体Ｑ１、Ｑ２、Ｑ３に貼着された際には、ワンウェイビジョンすなわち外部からは印刷による絵柄が見えて、中からは外の景色が見えるようになっている。
【００２３】
一方、フィルム型太陽電池モジュール２は、アモルファスシリコン（a-Si）太陽電池を用いたトップセル層２８と、アモルファスシリコンゲルマニウム（a-SiGe）太陽電池を用いたボトムセル層２７との二層構造（タンデム）となっており、このように光の吸収特性の異なる２つの太陽電池層を重ねることで、幅広い波長に対しての収集効率を高めている。
【００２４】
すなわち、フィルム型の太陽電池モジュール２の薄膜内部構造は、図２における他方の円内の拡大された断面図に示すように、背面金属電極と表面金属電極とを施したフィルム基板２６の表面金属電極側に、アモルファスシリコンゲルマニウム（a-SiGe）太陽電池を用いたボトムセル層２７のｎ型（電子）層が接合され、該ボトムセル層２７のｐ型（正孔）層には、アモルファスシリコン（a-Si）太陽電池を用いたトップセル層２８のｎ型（電子）層が接合され、該トップセル層２８のｐ型（正孔）層には、ＩＴＯ（インジウムスズ酸化物）等の透明導電膜を使用した透明電極２９が接合されている。
【００２５】
このような光電変換機能を有する半導体層の製膜としては、フィルムをカメラのようにコマ送りしながら、順次半導体層や電極層を積層してゆく所謂ステッピングロール方式を採用している。また、近年のSCAF（Series-Connection through Aperture Formed on Film Substrate）構造と呼ぶ直列接続構造の開発により、スルーホール構造による集積型の直列接続を製造プロセスで作り込むことで高いモジュール電圧を実現している。
【００２６】
こうして作成されたフィルム型の太陽電池モジュール２には、インバータ（ＤＣ／ＡＣ変換装置）２１を介して分電盤２２に接続され、そこから蓄電力の一部が証明・表示灯・非常用電源等の使用機器２３に費やされ、余った蓄電力は、売買電用のメータ２４を介して電力会社系統２５に買い取られる仕組みとなっている。
【００２７】
上記した広告具本体１は、レセプターフィルム１６の粘着層から不図示の剥離紙を剥がして太陽電池モジュール２の透明電極２９側に貼着されて一体化される。これにより、広告具本体１単体でもって広告機能とクリーンエネルギーの同時確保が可能になっている。
【００２８】
尚、上記した広告具本体１を、ソーラーシステム化されている広告媒体Ｑ１、Ｑ２、Ｑ３に貼付たり、あるいは既存の広告塔に貼付たり、さらには広告具本体１のスコッチプリント（商標名）そのものを改良してフィルム型の太陽電池モジュール２としたりする等、種々の応用が可能である。例えば、レセプターフィルム１６自体を太陽電池モジュール２の透明電極２９に加工する等の応用作成技術も可能である。
【００２９】
次に、以上のように構成された形態についての使用の一例について説明する。
図３に示すように、広告具本体１はバスＱ１のボディー壁面に貼着される（所謂ラッピングバス）。このとき、広告具本体１はフィルム型の太陽電池モジュール２と一体化されているため、バスＱ１を広告媒体とした広告具本体１自体の広告機能と、太陽電池モジュール２によるクリーンエネルギーの同時確保が可能となる。尚、バスＱ１の窓ガラス部分にもこのような広告具本体１を貼着しても良い。
【００３０】
また、図４に示すように、広告具本体１は電車Ｑ２のボディー壁面に貼着される（所謂ラッピング電車）。このとき、広告具本体１はフィルム型の太陽電池モジュール２と一体化されているため、電車Ｑ２を広告媒体とした広告具本体１自体の広告機能と、太陽電池モジュール２によるクリーンエネルギーの同時確保が可能となる。尚、電車Ｑ２の窓ガラス部分にもこのような広告具本体１を貼着しても良い。
【００３１】
さらに、図５に示すように、広告具本体１はビルＱ３の壁面・屋上の看板・出入口・ガラス窓等に貼着される（所謂ラッピングビル）。このとき、広告具本体１はフィルム型の太陽電池モジュール２と一体化されているため、ビルＱ３を広告媒体とした広告具本体１自体の広告機能と、太陽電池モジュール２によるクリーンエネルギーの同時確保が可能となる。しかも、ビルＱ３のウィンドウスペースを表情豊かにデコレーションすることにも効果がある。尚、ビルＱ３の窓や壁面等に付設されている大面積パネル構造の高画質液晶画面にもこのような広告具本体１を組み込んでも良い。
【００３２】
この他、上記太陽電池モジュール２と一体化されている広告具本体１を、ブラインド・ロールスクリーンに貼着したり、あるいは広告具本体１自体を携帯ソーラーとして活用させたり、さらには、ウィンドウディスプレイ、シャッター、仮囲い、タペストリー・フロア、路面標識等のあらゆるビジュアルコミュニケーションに利用する等、幅広い応用も可能である。
【００３３】
太陽電池モジュール２に蓄電された電力は、インバータ（ＤＣ／ＡＣ変換装置）２１から分電盤２２を介して当該蓄電力の一部が証明・表示灯・非常用電源等の使用機器２３に費やされ、余った蓄電力は、売買電用のメータ２４を介して電力会社系統２５に買い取られる。
【符号の説明】
【００３４】
Ｑ１、Ｑ２、Ｑ３  広告媒体
１                広告具本体
２                太陽電池モジュール
１１              スキャナー
１２              画像編集
１３              データ計算
１４              出力（プリントアウト）
１５              転写・ラミネート
１６              レセプターフィルム
１７              オーバーラミネートフィルム
２１              インバータ（ＤＣ／ＡＣ変換装置）
２２              分電盤
２３              使用機器
２４              売買電用のメータ
２５              電力会社系統
２６              フィルム基板
２７              ボトムセル層
２８              トップセル層
２９              透明電極
【図１】
2011070065.tif 000003
【図２】
2011070065.tif 000004
【図３】
2011070065.tif 000005
【図４】
2011070065.tif 000006
【図５】
2011070065.tif 000007